(57)【要約】【課題】運転者の指向をより精度良く判定することが可能な運転者指向判定装置を提供する。【解決手段】運転者の運転操作又は車両の状況に基づいて、運転者の指向を推定する運転指向推定部と、現在の状況が、運転者の指向が第１指向であるときに運転者の前記第１指向であるとの指向が運転操作又は車両の状況に反映され難い予め設定された特定状況であるか否かを判定する特定判定部とを備え、現在までの運転者の指向が前記第１指向であり（Ｓ１０５−Ｙ）前記運転指向推定部により現在の運転者の指向が第２指向であると判定されているとき（Ｓ１０２−Ｎ）に、前記特定判定部により現在の状況が前記特定状況であると判定された場合（Ｓ１０６−Ｙ）であって、前記現在の状況が前記特定状況であると判定された状態が予め設定された所定の時間又は距離だけ継続していない場合（Ｓ１０７−Ｎ）に、現在の運転者の指向は前記第１指向であると判定する。【選択図】      図１
2007016826.tif 000002
【特許請求の範囲】
【請求項１】
運転者の指向を判定する運転者指向判定装置であって、
現在の状況が、運転者の指向が第１指向であるときに運転者の前記第１指向であるとの指向が運転操作又は車両の状況に反映され難い予め設定された特定状況であるか否かを判定する特定判定部を備え、
現在までの運転者の指向が前記第１指向であるときに、前記特定判定部により現在の状況が前記特定状況であると判定された場合には、現在の運転者の指向は前記第１指向であると判定する
ことを特徴とする運転者指向判定装置。
【請求項２】
請求項１記載の運転者指向判定装置において、
更に、
運転者の運転操作又は車両の状況に基づいて、運転者の指向を推定する運転指向推定部を備え、
現在までの運転者の指向が前記第１指向であり前記運転指向推定部により現在の運転者の指向が前記第１指向とは異なる第２指向であると判定されているときに、前記特定判定部により現在の状況が前記特定状況であると判定された場合であって、前記現在の状況が前記特定状況であると判定された状態が予め設定された所定の時間又は距離だけ継続していない場合に、現在の運転者の指向は前記第１指向であると判定する
ことを特徴とする運転者指向判定装置。
【請求項３】
請求項１または２に記載の運転者指向判定装置において、
前記特定判定部は、現在の状況が前記特定状況であるか否かの判定に際して、現在の道路の状況を判定する
ことを特徴とする運転者指向判定装置。
【請求項４】
請求項１から３のいずれか１項に記載の運転者指向判定装置において、
前記特定判定部は、現在の状況が前記特定状況であるか否かの判定に際して、現在の車間距離を含む車速が相対的に低い状態で走行されるべき状況、及び道路交通に関する状況の少なくともいずれか一つを判定する
ことを特徴とする運転者指向判定装置。
【請求項５】
請求項１から４のいずれか１項に記載の運転者指向判定装置において、
前記特定判定部は、現在の状況が前記特定状況であるか否かの判定に際して、前記運転指向推定部に入力される前記運転操作又は車両の状況の変化を判定する
ことを特徴とする運転者指向判定装置。
【発明の詳細な説明】
【技術分野】
【０００１】
本発明は、運転者指向判定装置に関し、特に、運転者の指向をより精度良く判定することが可能な運転者指向判定装置に関する。
【背景技術】
【０００２】
特開平１０−１６９７６５号公報（特許文献１）には、車両の走行状態を検出し、検出された走行状態に基づいて前記車両の運転指向の判定が行われる運転指向判定装置において、前記車両が走行する道路状況を検出する道路状況検出手段と、検出された道路状況に基づいて前記運転指向の判定方法を変更する判定方法変更手段とを備えた技術が開示されている。
【０００３】
また、特開２００５−１４７３０９号公報（特許文献２）には、運転者の指向を判定する運転者指向判定装置であって、現在の運転状況又は現在の走行状況と、現在よりも後に走行が予定される道路の状況とに基づいて、運転者の指向が判定される運転者指向判定装置が開示されている。
【０００４】
【特許文献１】特開平１０−１６９７６５号公報
【特許文献２】特開２００５−１４７３０９号公報
【発明の開示】
【発明が解決しようとする課題】
【０００５】
上記特許文献１の技術では、車両が走行する道路状況に基づいて運転指向の判定方法を変更しているが、現在の道路状況だけでは指向の違いが運転状態や車両走行状態に反映されない場合があり、精度良く運転者の指向を判定することができない。
【０００６】
上記特許文献２の技術では、これから走行する道路状況に基づいて運転者の指向が判定されるが、分岐などによりこれから走行する道路状況が推定できない場合に対応が困難である。
【０００７】
本発明の目的は、運転者の指向をより精度良く判定することが可能な運転者指向判定装置を提供することである。
【課題を解決するための手段】
【０００８】
本発明の運転者指向判定装置は、運転者の指向を判定する運転者指向判定装置であって、現在の状況が、運転者の指向が第１指向であるときに運転者の前記第１指向であるとの指向が運転操作又は車両の状況に反映され難い予め設定された特定状況であるか否かを判定する特定判定部を備え、現在までの運転者の指向が前記第１指向であるときに、前記特定判定部により現在の状況が前記特定状況であると判定された場合には、現在の運転者の指向は前記第１指向であると判定することを特徴としている。
【０００９】
本発明の運転者指向判定装置において、更に、運転者の運転操作又は車両の状況に基づいて、運転者の指向を推定する運転指向推定部を備え、現在までの運転者の指向が前記第１指向であり前記運転指向推定部により現在の運転者の指向が前記第１指向とは異なる第２指向であると判定されているときに、前記特定判定部により現在の状況が前記特定状況であると判定された場合であって、前記現在の状況が前記特定状況であると判定された状態が予め設定された所定の時間又は距離だけ継続していない場合に、現在の運転者の指向は前記第１指向であると判定することを特徴としている。
本発明の運転者指向判定装置においては、車両が実際走行した区間において運転指向推定部への入力値が無い場合又はその入力値の変化が少ない場合が所定範囲内継続した場合には、現在までの運転者の指向の判定結果に基づいて、現在の運転者の指向を判定する。
【００１０】
本発明の運転者指向判定装置において、前記特定判定部は、現在の状況が前記特定状況であるか否かの判定に際して、現在の道路の状況を判定することを特徴としている。
【００１１】
本発明の運転者指向判定装置において、前記特定判定部は、現在の状況が前記特定状況であるか否かの判定に際して、現在の車間距離を含む車速が相対的に低い状態で走行されるべき状況、及び道路交通に関する状況の少なくともいずれか一つを判定することを特徴としている。
【００１２】
本発明の運転者指向判定装置において、前記特定判定部は、現在の状況が前記特定状況であるか否かの判定に際して、前記運転指向推定部に入力される前記運転操作又は車両の状況の変化を判定することを特徴としている。
【００１３】
ここでは、運転指向推定部として、ニューラルネットワークが用いられる。そのニューラルネットワークには、車速、車両加速度などの車両の走行状態や、アクセル開度、アクセル開度変化量、ブレーキ踏力、ブレーキ回数、ステアリングの操舵角、操舵速度などの運転者の運転状態を示す物理量が入力される。そのニューラルネットワークからは、運転者の運転指向の推定結果として、スポーツ走行指向か否かを示す信号が出力される。
【００１４】
本実施形態において、ニューラルネットワークを用いた運転指向推定部としては、例えば、特開平９−２５７１２４号、特開平９−２４２８６３号公報、特開平１０−７７８９３号公報に記載された技術を適用することが可能である。
【発明の効果】
【００１５】
本発明の運転者指向判定装置によれば、運転者の指向をより精度良く判定することができる。
【発明を実施するための最良の形態】
【００１６】
以下、本発明の運転者指向判定装置の一実施形態につき図面を参照しつつ詳細に説明する。
【００１７】
（第１実施形態）
図１から図８を参照して、第１実施形態について説明する。
【００１８】
図２には、車両の自動変速機および変速制御装置が示されている。図２において、車両のエンジン１０から出力された動力は、トルクコンバータ１２、自動変速機１４、および図示しない差動歯車装置および車軸を経て図示しない駆動輪へ伝達される。
【００１９】
トルクコンバータ１２は、クランク軸１６に連結されたポンプ翼車１８と、自動変速機１４の入力軸２０に連結され且つ流体を介してポンプ翼車１８から動力が伝達されるタービン翼車２２と、一方向クラッチ２４を介して位置固定のハウジング２６に固定された固定翼車２８と、ポンプ翼車１８およびタービン翼車２２をダンパ３０を介して直結するロックアップクラッチ３２とを備えている。ロックアップクラッチ３２は、解放側油室３３と係合側油室３５との圧力差により係合制御される。
【００２０】
自動変速機１４は、例えば前進４速或いは５速のギヤ段が達成される遊星歯車式の多段変速機である。前進４速である場合の自動変速機１４は、同軸上に配設された３組のシングルピニオン型遊星歯車装置３４，３６，３８と、前記入力軸２０と、遊星歯車装置３８のリングギヤとともに回転する出力歯車３９と前記差動歯車装置との間で動力を伝達するカウンタ軸（出力軸）４０とを備えている。
【００２１】
それら遊星歯車装置３４，３６，３８の構成要素の一部は互いに一体的に連結されるだけでなく、３つのクラッチＣ0 ，Ｃ1 ，Ｃ2 によって互いに選択的に連結されている。また、上記遊星歯車装置３４，３６，３８の構成要素の一部は、４つのブレーキＢ0 ，Ｂ1 ，Ｂ2 ，Ｂ3 によってハウジング２６に選択的に連結されるとともに、さらに、構成要素の一部は３つの一方向クラッチＦ0 ，Ｆ1 ，Ｆ2 によってその回転方向により相互に若しくはハウジング２６と係合させられる。
【００２２】
クラッチＣ0 ，Ｃ1 ，Ｃ2 、ブレーキＢ0 ，Ｂ1 ，Ｂ2 ，Ｂ3 は、例えば多板式のクラッチや１本または巻付け方向が反対の２本のバンドを備えたバンドブレーキ等にて構成され、それぞれ図示しない油圧アクチュエータによって作動させられる。後述の電子制御装置４２からの指令に従って作動する油圧制御回路４４によりそれ等の油圧アクチュエータの作動がそれぞれ制御されることにより、図３に示されるように、変速比γ（＝入力軸２０の回転速度／カウンタ軸４０の回転速度）がそれぞれ異なる前進４段・後進１段の変速段が得られる。
【００２３】
図３において、「１st」，「２nd」，「３rd」，「O/D(オーバドライブ）」は、それぞれ、前進側の第１速ギヤ段，第２速ギヤ段，第３速ギヤ段，第４速ギヤ段を表しており、上記変速比は第１速ギヤ段から第４速ギヤ段に向かうに従って順次小さくなる。なお、トルクコンバータ１２および自動変速機１４は、軸心に対して対称的に構成されているため、図２においては、入力軸２０の回転軸線の下側およびカウンタ軸４０の回転軸線の上側を省略して示してある。
【００２４】
油圧制御回路４４には、自動変速機１４のギヤ段を制御するための変速制御用油圧制御回路と、ロックアップクラッチ３２の係合を制御するための係合制御用油圧制御回路とが設けられている。変速制御用油圧制御回路は、ソレノイドNo.1およびソレノイドNo.2によってそれぞれオンオフ駆動される第１電磁弁４６および第２電磁弁４８を備えており、それら第１電磁弁４６および第２電磁弁４８の作動の組み合わせによって図２に示すようにクラッチおよびブレーキが選択的に作動させられて前記第１速ギヤ段乃至第４速ギヤ段のうちのいずれかが成立させられる。
【００２５】
また、上記係合制御用油圧制御回路は、ロックアップクラッチ３２を解放状態とする解放側位置とロックアップクラッチ３２を係合状態とする係合側位置とに切り換える図示しないクラッチ切換弁をオンオフ作動させる切換用信号圧を発生する第３電磁弁５０と、係合側油室３５および解放側油室３３の圧力差ΔＰを調節してロックアップクラッチ３２のスリップ量を制御する図示しないスリップ制御弁を作動させるスリップ制御用信号圧を電子制御装置４２からの駆動電流に従って発生させるリニアソレノイド弁５４とを備えている。
【００２６】
電子制御装置４２は、ＣＰＵ６０、ＲＡＭ６２、ＲＯＭ６４、図示しない入出力インターフェースなどを含む所謂マイクロコンピュータであって、それには、エンジン１０の吸気配管６６に設けられたスロットル弁６８の開度ＴＡを検出するスロットルセンサ７０、エンジン１０の回転速度を検出するエンジン回転速度センサ７２、自動変速機１４の入力軸２０の回転速度を検出する入力軸回転速度センサ７４、車速Ｖを検出するために自動変速機１４のカウンタ軸４０の回転速度を検出する車速センサ７６、シフトレバー７８の操作位置、すなわちＬ、Ｓ、Ｄ、Ｎ、Ｒ、Ｐレンジのいずれかを検出する操作位置センサ８０、ブレーキペダル８２の操作を検出するブレーキスイッチ８４から、スロットル弁開度ＴＡを表す信号、エンジン回転速度ＮE を表す信号、入力軸回転速度ＮINを表す信号、出力軸（カウンタ軸４０）の回転速度ＮOUT を表す信号、シフトレバー７８の操作位置ＰS を表す信号、ブレーキペダル８２の操作を表す信号ＳBK、ナビゲーションシステム装置９７から、現在走行している道路が車両の旋回判定（コーナリング判定）が不成立の道路（直線路や、ワインディング路においてコーナとその次のコーナとを結ぶ比較的長い直線部分を含む。以下同じ）であるか否かを表す道路状況信号ＳＧ１がそれぞれ供給される。
【００２７】
スロットル弁６８は、アクセルペダル５８と機械的に連結されてその踏込操作に伴ってスロットル弁開度ＴＡが増加させられるものであるから、スロットルセンサ７０は、アクセルペダル５８の操作量（すなわち出力操作量）ＡACC も実質的に検出している。
【００２８】
電子制御装置４２のＣＰＵ６０は、予めＲＯＭ６４に記憶されたプログラムに従って上記入力信号を処理し、例えば運転指向判定制御、変速制御、ロックアップクラッチ制御などを実行する。したがって、本実施形態では、電子制御装置４２が運転指向判定手段（図６の符号９１）として機能している。
【００２９】
電子制御装置４２の運転指向判定制御（運転指向判定手段９１）では、ニューラルネットワークＮＮの出力に基づいて推定された現在の運転者の運転指向（図１のステップＳ１０２）と、現在までの運転指向の判定結果（ステップＳ１０５）と、後述するナビゲーションシステム装置９７により検出又は推定された、現在走行している道路が車両の旋回判定が不成立の道路であるか否かの判定結果（ステップＳ１０６）とに基づいて、運転者の運転指向を判定する。
【００３０】
また、電子制御装置４２の変速制御やロックアップクラッチ制御では、予めＲＯＭ６４に記憶された複数種類の変速線図すなわち図４のスポーツ走行指向（動力性能を重視した指向）の変速線図、図５の通常走行指向（通常）の変速線図が選択され、その選択された変速線図から実際の車速Ｖおよびスロットル弁開度ＴＡに基づいて所定のギヤ段へのシフト判定或いはロックアップオンオフ判定が行われる。
【００３１】
例えば、図５の通常の変速線図において実際の車速Ｖおよびスロットル弁開度ＴＡを示す点がアップシフト線或いはダウンシフト線と交差するとアップシフト判定或いはダウンシフト判定が行われる。そして、そのシフト判定が行われたギヤ段を成立させるように、図２に示す第１電磁弁４６および第２電磁弁４８が駆動され、或いはロックアップクラッチ３２の係合制御のために第３電磁弁５０およびリニアソレノイド弁５４が駆動される。
【００３２】
なお、図４、図５において、実線はシフトアップ線を示し、破線はシフトダウン線を示し、１点鎖線はロックアップクラッチの係合線を示し、２点鎖線はロックアップクラッチの開放線を示している。図４のスポーツ走行指向の変速線図では、図５と比較して、高車速（高エンジン回転速度）で変速が実行されるように変速線が設定されている。
【００３３】
ナビゲーションシステム装置９７は、ナビゲーション処理部と、道路情報記憶手段であるデータ記憶部と、現在位置検出部とを有している。ナビゲーション処理部は、入力された情報に基づいて、ナビゲーション処理等の各種演算処理を行う。ナビゲーション処理部のＲＯＭには、目的地までの経路の検索、経路中の走行案内、特定区間の決定等を行うための各種プログラムが格納されている。また、ナビゲーション処理部のＲＯＭには、走行路がワインディング路であるか否かを判定するための動作を記述したプログラムが格納されている。
【００３４】
ナビゲーションシステム装置９７のデータ記憶部は、地図データファイル、交差点データファイル、ノードデータファイル、道路データファイル、および所定の道路が山間路区間などの情報が格納された他のデータファイルを備えている。これら各ファイルには、経路探索を行うとともに、探索した経路に沿って案内図を表示するための各種データが格納されている。
【００３５】
これらのファイルに記憶されている情報の内、通常のナビゲーションにおける経路探索や経路案内に使用されるのが交差点データ、道路形状を示す地点の集合であるノードデータ、道路データのそれぞれが格納された各ファイルである。道路データとしては、道路の幅、勾配、路面の状態、カーブの曲率半径、交差点、Ｔ字路、道路の車線数、車線数の減少する地点、カーブの入口、踏切、高速道路出入口ランプウェイ、高速道路の料金所、道路の道幅の狭くなる地点、降坂路、登坂路、道路種別（高速道路、首都高速道路、自動車専用道路、一般道路）などの道路情報が格納されている。上記道路データは、ノード及び隣接するノードを結ぶリンクに付随してそれぞれ格納されている。
【００３６】
ナビゲーションシステム装置９７の現在位置検出部は、ＧＰＳレシーバ、地磁気センサ、距離センサ、ステアリングセンサ、ビーコンセンサ、ジャイロセンサとを備えている。
【００３７】
ナビゲーションシステム装置９７は、運転者に車両の現在地周りの道路情報を知らせて、車両の目的地までの走行経路を誘導する。つまり、目的地を入力すると、ナビゲーション処理部は、現在位置検出部で検出された自車位置に基づき、データ記憶部から読み出した道路情報から目的地までの走行経路を選択し、該経路を表示する。また、目的地が入力されていない場合には、自車位置の周辺の道路情報を表示する。
【００３８】
ナビゲーションシステム装置９７は、後述するように、車両が現在走行している道路が車両の旋回判定が不成立の道路であるか否かを判定し、その判定結果を示す信号ＳＧ１を電子制御装置４２（運転指向判定手段９１）に出力する。
【００３９】
図６は、電子制御装置４２の制御機能を説明する機能ブロック線図である。電子制御装置４２は、変速制御手段９０と、運転指向判定手段９１と、変速線図切換手段９２とを備えている。
【００４０】
変速制御手段９０は、ＲＯＭ６４に予め記憶された複数種類の変速線図から変速線図切換手段９２により選択された変速線図に従って、車速センサ７６により検出された実際の車速Ｖおよびスロットルセンサ７０により検出された実際のスロットル弁開度ＴＡに基づいて所定のギヤ段への変速判断を実行し、その変速判断により判断されたギヤ段を達成するための電磁弁４６、４８、５０に対して変速出力を行って自動変速機１４のギヤ段を切換制御する。
【００４１】
運転指向判定手段９１は、後述するように、運転者の運転指向を判定し、その判定結果を示す指向判定信号ＳＧ２を変速線図切換手段９２に出力する。
【００４２】
変速線図切換手段９２は、ＲＯＭ６４に予め記憶された図４、図５に示す複数種類の変速線図から、運転指向判定手段９１から出力された指向判定信号ＳＧ２において示される運転指向に対応した変速線図を選択する。例えば、変速線図切換手段９２では、運転指向判定手段９１により指向判定信号ＳＧ２において例えばスポーツ走行指向を示すフラグＸSPORT がセットされた場合には、図４のスポーツ走行指向の変速線図が選択されるが、通常走行指向を示すフラグＸNORMがセットされた場合には、図５の通常走行指向の変速線図が選択される。
【００４３】
図６に示すように、運転者指向判定装置１１０は、運転指向判定手段９１と、ナビゲーションシステム装置９７とを備えている。ナビゲーションシステム装置９７は、車両が現在走行中の道路状況を検出又は推定し、現在走行中の道路が車両の旋回判定が不成立の道路であるか否かを示す信号ＳＧ１を運転指向判定手段９１に出力する。なお、現在走行中の道路が車両の旋回判定が不成立の道路であるか否かは、車両の横加速度を検出する横加速度センサ（図示せず）の検出値、ステアリングの操舵角センサ（図示せず）の検出値、又は、車両のヨーレートセンサ（図示せず）の検出値に基づいて、判定することもできる。
【００４４】
運転指向判定手段９１は、記憶部９３と、運転指向推定部９４と、判定部９５とを備えている。運転指向推定部９４は、運転者の運転状態（運転操作）及び車両の走行状態に基づいて、運転者の運転指向（スポーツ走行指向か通常走行指向）を推定する。運転指向推定部９４の詳細については更に後述する。ここで、スポーツ走行指向とは、通常走行指向に比べて、動力性能を重視した指向、加速指向ないしは運転者の操作に対する車両の反応が迅速なスポーツ走行を好むことを意味する。
【００４５】
記憶部９３は、現在までの運転指向判定手段９１（判定部９５）による運転指向の判定結果を記憶している。
判定部９５は、上記信号ＳＧ１と、運転指向推定部９４により推定された運転者の運転指向（後述する運転指向推定値）と、記憶部９３に記憶された現在までの運転指向判定手段９１による運転指向の判定結果に基づいて、最終的な運転者の運転指向を判定する。運転指向判定手段９１からは、判定部９５により判定された最終的な運転者の運転指向を示す指向判定信号ＳＧ２が変速線図切換手段９２に出力される。
【００４６】
運転指向判定手段９１では、最終的な運転者の運転指向の判定結果（ＳＧ２）を、スポーツ走行指向から通常走行指向に戻すか否かの決定が、ナビゲーションシステム装置９７により検出又は推定された車両が現在走行している道路状況（ＳＧ１、後述する図１のステップＳ１０６）に基づいて行われる。
【００４７】
運転指向推定部９４の出力が、スポーツ走行指向から通常走行指向に変化しても（ステップＳ１０２−Ｎ、ステップＳ１０５−Ｙ）、車両が現在走行している道路状況（ＳＧ１）が車両の旋回判定が不成立の道路である場合に例示されるような一般に運転者がスポーツ走行指向であるときに運転者のそのスポーツ走行指向であるとの指向が運転操作又は車両の状況に反映され難い場合（ステップＳ１０６−Ｙ）には、運転者が依然としてスポーツ走行指向である可能性が十分高いため、スポーツ走行指向であるとの判定結果（ＳＧ２）が維持される（ステップＳ１０３）。上記例では、車両が現在走行している道路状況（ＳＧ１）が車両の旋回判定が不成立の道路であること（ステップＳ１０６−Ｙ）が所定距離継続している場合（ステップＳ１０７−Ｙ）には、判定結果（ＳＧ２）は、通常走行指向に復帰する（ステップＳ１０８）。
【００４８】
運転者指向判定装置１１０（運転指向判定手段９１）によれば、現在までの運転者指向がスポーツ走行指向であったか否か（ステップＳ１０５）と、車両が現在走行している道路状況（ステップＳ１０６）に基づいて、スポーツ走行指向から通常走行指向への復帰の有無が決定される。即ち、現在までの状況（ステップＳ１０５）及び現在の状況（ステップＳ１０２、ステップＳ１０６）に基づいて、スポーツ走行指向から通常走行指向への復帰の有無が判断されるため、上記特許文献２の技術のように、分岐などによりこれから走行する道路状況が推定できない場合であっても問題なく対応することができ、運転者指向をより精度良く判定することができる。また、後述するように、ナビゲーションシステム装置などからの道路情報を必要としなくても、車両の横Ｇなどに基づいて、運転者指向を精度良く判定することができる。
【００４９】
次に、運転指向推定部９４の詳細について説明する。
運転指向推定部９４は、複数種類の運転操作関連変数のいずれかの算出毎にその運転操作関連変数が入力されて推定演算が起動されるニューラルネットワークＮＮを備え、そのニューラルネットワークＮＮの出力に基づいて車両の運転指向を推定する。
【００５０】
例えば図７に示すように、運転指向推定部９４は、信号読込手段９６と、前処理手段９８と、運転指向推定手段１００とを備えている。信号読込手段９６は、前記各センサ７０、７２、７４、７６、８４などからの検出信号を比較的短い所定の周期で読み込む。前処理手段９８は、信号読込手段９６により逐次読み込まれた信号から、運転指向を反映する運転操作に密接に関連する複数種類の運転操作関連変数、すなわち車両発進時の出力操作量（アクセルペダル操作量）すなわち車両発進時のスロットル弁開度ＴＡST、加速操作時の出力操作量の最大変化率すなわちスロットル弁開度の最大変化率ＡCCMAX 、車両の制動操作時の最大減速度ＧNMAX、車両の惰行走行時間ＴCOAST 、車速一定走行時間ＴVCONST、所定区間内において各センサから入力された信号の区間最大値、運転開始以後における最大車速Ｖmax などをそれぞれ算出する運転操作関連変数算出手段である。運転指向推定手段１００は、前処理手段９８により運転操作関連変数が算出される毎にその運転操作関連変数が許可されて運転指向推定演算を行うニューラルネットワークＮＮを備え、そのニューラルネットワークＮＮの出力である運転指向推定値を出力する。
【００５１】
図７の前処理手段９８には、車両発進時の出力操作量すなわち車両発進時のスロットル弁開度ＴＡSTを算出する発進時出力操作量算出手段９８ａ、加速操作時における出力操作量の最大変化率すなわちスロットル弁開度の最大変化率ＡCCMAX を算出する加速操作時出力操作量最大変化率算出手段９８ｂ、車両の制動操作時の最大減速度ＧNMAXを算出する制動時最大減速度算出手段９８ｃ、車両の惰行走行時間ＴCOAST を算出する惰行走行時間算出手段９８ｄ、車速一定走行時間ＴVCONSTを算出する車速一定走行時間算出手段９８ｅ、例えば３秒程度の所定区間内における各センサからの入力信号のうちの最大値を周期的に算出する入力信号区間最大値算出手段９８ｆ、運転開始以後における最大車速Ｖmax を算出する最大車速算出手段９８ｇなどがそれぞれ備えられている。
【００５２】
上記入力信号区間最大値算出手段９８ｆにおいて算出される所定区間内の入力信号のうちの最大値としては、スロットル弁開度ＴＡmaxt、車速Ｖmaxt、エンジン回転速度ＮEmaxt 、前後加速度NOGBW maxt （減速のときは負の値）或いは減速度ＧNMAXt （絶対値）が用いられる。前後加速度NOGBW maxt 或いは減速度ＧNMAXt は、例えば車速Ｖ（ＮOUT ）の変化率から求められる。
【００５３】
図７の運転指向推定手段１００に備えられたニューラルネットワークＮＮは、コンピュータプログラムによるソフトウエアにより、或いは電子的素子の結合から成るハードウエアにより生体の神経細胞群をモデル化して構成され得るものであり、例えば図７の運転指向推定手段１００のブロック内に例示されるように構成される。
【００５４】
図７において、ニューラルネットワークＮＮは、ｒ個の神経細胞要素（ニューロン）Ｘi （Ｘ1 〜Ｘr ）から構成された入力層と、ｓ個の神経細胞要素Ｙj （Ｙ1 〜Ｙs ）から構成された中間層と、ｔ個の神経細胞要素Ｚk （Ｚ1 〜Ｚt ）から構成された出力層とから構成された３層構造の階層型である。そして、上記入力層から出力層へ向かって神経細胞要素の状態を伝達するために、結合係数（重み）ＷXij を有して上記ｒ個の神経細胞要素Ｘi とｓ個の神経細胞要素Ｙj とをそれぞれ結合する伝達要素ＤXij と、結合係数（重み）ＷYjk を有してｓ個の神経細胞要素Ｙj とｔ個の神経細胞要素Ｚk とをそれぞれ結合する伝達要素ＤYjk が設けられている。
【００５５】
上記ニューラルネットワークＮＮは、その結合係数（重み）ＷXij 、結合係数（重み）ＷYjk を所謂誤差逆伝搬学習アルゴリズムによって学習させられたパターン連想型のシステムである。その学習は、前記運転操作関連変数の値と運転指向とを対応させる走行実験によって予め完了させられているので、車両組み立て時では、上記結合係数（重み）ＷXij 、結合係数（重み）ＷYjk は固定値が与えられている。
【００５６】
上記の学習に際しては、複数の運転者についてそれぞれスポーツ走行指向、通常走行（ノーマル）指向の運転が例えば高速道路、郊外道路、山岳道路、市街道路などの種々の道路において実施され、そのときの運転指向を教師信号とし、教師信号とセンサ信号を前処理したｎ個の指標（入力信号）とがニューラルネットワークＮＮに入力させられる。なお、上記教師信号は運転指向を０から１までの値に数値化し、例えば通常走行指向を０、スポーツ走行指向を１とする。また、上記入力信号は−１から＋１までの間あるいは０から１までの間の値に正規化して用いられる。
【００５７】
次に、図１を参照して、第１実施形態の動作を説明する。
【００５８】
［ステップＳ１０１］
ステップＳ１０１では、運転指向推定部９４により、スロットル弁開度の変化率や、車両の加速度や減速度などに基づいて、ニューラルネットワークＮＮの出力値が算出される。ステップＳ１０１の次にステップＳ１０２が行われる。
【００５９】
［ステップＳ１０２］
ステップＳ１０２では、判定部９５により、運転指向推定部９４のニューラルネットワークＮＮの出力値がスポーツ走行指向判定のしきい値よりも高いか否かが判定される。その判定の結果、スポーツ走行指向判定のしきい値よりも高い場合（ステップＳ１０２−Ｙ）には、ステップＳ１０３に進み、そうでない場合（ステップＳ１０２−Ｎ）にはステップＳ１０５に進む。
【００６０】
［ステップＳ１０３］
ステップＳ１０３では、判定部９５により、運転者の運転指向がスポーツ走行指向であると判断され、運転指向判定手段９１からは、運転者の運転指向を示す指向判定信号ＳＧ２として、スポーツ走行指向である旨が変速線図切換手段９２に出力される。ステップＳ１０３の次には、ステップＳ１０４が行われる。
【００６１】
［ステップＳ１０４］
ステップＳ１０４では、変速線図切換手段９２により図４の変速線図が選択され、その図４の変速線図に従って変速制御手段９０が目標変速段を算出し、その目標変速段に自動変速機１４が変速されることにより、スポーツ走行が行われる。ステップＳ１０４の次に、制御フローはリターンされる。
【００６２】
［ステップＳ１０５］
ステップＳ１０５において、判定部９５は、記憶部９３に記憶された現在までの運転指向判定手段９１による運転指向の判定結果に基づいて、現在までの運転指向がスポーツ走行指向であったか否かを判定する。その判定の結果、現在までの運転指向がスポーツ走行指向であった場合（ステップＳ１０５−Ｙ）には、ステップＳ１０６に進み、そうでない場合（ステップＳ１０５−Ｎ）には、ステップＳ１０８に進む。
【００６３】
［ステップＳ１０６］
ステップＳ１０６において、判定部９５は、ナビゲーションシステム装置９７から入力した車両が現在走行している道路の状況を示す信号ＳＧ１に基づいて、現在走行している道路が車両の旋回判定が不成立の道路であるか否かを判定する。その判定の結果、肯定的に判定された場合には、ステップＳ１０７に進み、そうでない場合には、ステップＳ１０８に進む。
【００６４】
なお、上記ステップＳ１０６では、判定部９５は、ナビゲーションシステム装置９７から入力した道路の状況を示す信号ＳＧ１に基づいて、現在走行している道路が車両の旋回判定が不成立の道路であるか否かの判定を行ったが、これに代えて、判定部９５は、上記のように、車両の操舵角に関する情報、ヨーレート、又は車両に作用する横加速度に基づいて、現在走行している道路が車両の旋回判定が不成立の道路であるか否かの判定を行うことができる。
【００６５】
［ステップＳ１０７］
ステップＳ１０７において、判定部９５は、ナビゲーションシステム装置９７から入力した車両が現在走行している道路の状況を示す信号ＳＧ１に基づいて、現在走行している道路が車両の旋回判定が不成立の道路である状況が、予め設定された所定距離だけ継続しているか否かを判定する。その判定の結果、肯定的に判定された場合には、ステップＳ１０８に進み、そうでない場合、即ち、現在走行している道路が車両の旋回判定が不成立の道路ではあるが（ステップＳ１０６−Ｙ）、予め設定された所定距離だけその車両の旋回判定が不成立の道路が継続していない場合には、ステップＳ１０３に進む。
【００６６】
なお、上記ステップＳ１０７では、現在走行している道路が車両の旋回判定が不成立の道路である状況が所定距離だけ継続しているか否かが判定されたが、所定距離に代えて、予め設定された所定時間だけ継続していることが判定されてもよい。
【００６７】
［ステップＳ１０８］
ステップＳ１０８では、判定部９５により、運転者の運転指向が通常走行指向であると判断され、運転指向判定手段９１からは、運転者の運転指向を示す指向判定信号ＳＧ２として、通常走行指向である旨が変速線図切換手段９２に出力される。ステップＳ１０８の次には、ステップＳ１０９が行われる。
【００６８】
［ステップＳ１０９］
ステップＳ１０９では、変速線図切換手段９２により図５の変速線図が選択され、その図５の変速線図に従って変速制御手段９０が目標変速段を算出し、その目標変速段に自動変速機１４が変速されることにより、通常走行が行われる。ステップＳ１０９の次に、制御フローはリターンされる。
【００６９】
次に、図８を参照して、本実施形態の作用効果について説明する。
【００７０】
車両Ｘは、矢印Ｙで示す方向にワインディング路を走行している。車両Ｘは、符号Ｘａで示す地点において減速し、減速度（Ａ）が作用してコーナＫに進入し、符号Ｘｂで示す地点において加速して、加速度（Ｂ）が作用してコーナＫから脱出する。その後、符号（Ｃ）で示す車両の旋回判定が不成立の道路を経て、符号Ｘｃで示す地点から減速して、減速度（Ｄ）が作用して次のコーナＫａに進入する。
【００７１】
図８において、車両Ｘの運転者は、符号Ｘ〜Ｘｃの全ての範囲において、スポーツ走行指向であるとする。符号Ｘａ〜Ｘｂで示すコーナＫの進入から脱出までの範囲では、スポーツ走行（スポーツ走行指向）に対応する程度に大きなアクセル開速度や舵角の変化などの運転操作や、スポーツ走行に対応した減速Ｇや加速Ｇなどの車両の状況が運転指向推定部９４に入力されることにより、上記ステップＳ１０２では肯定的に判定されて、スポーツ走行指向と判定される（ステップＳ１０３）。
【００７２】
これに対して、車両の旋回判定が不成立の道路の区間（Ｃ）では、運転者はスポーツ走行指向であるにもかかわらず、その運転者のスポーツ走行指向であるとの指向が、アクセル開速度や舵角の変化などの運転操作や減速Ｇや加速Ｇなどの車両の状況に反映され難い。即ち、運転者がスポーツ走行指向である場合であっても、車両の旋回判定が不成立の道路（Ｃ）では、アクセル開速度や舵角の変化などの運転操作や減速Ｇや加速Ｇなどの車両の状況は、運転指向推定部９４において、スポーツ走行指向と推定されるために必要な程度まで大きな値ではない。このことから、車両の旋回判定が不成立の道路の区間（Ｃ）では、ステップＳ１０２で否定的に判定されることになる。
【００７３】
従来一般の技術では、ワインディング路におけるコーナＫとその次のコーナＫａとを結ぶ車両の旋回判定が不成立の道路（Ｃ）があると、ニューラルネットワークの出力値（運転のきびきび度）は低下してしまい、通常走行指向と判定されて、通常変速制御に戻ってしまっていた。その車両の旋回判定が不成立の道路の後には、直ぐに状況が変わって、次のコーナを走行することになり、スポーツ走行できる場合がある。にもかかわらず、従来一般の技術によれば対応することができなかった。即ち、状況変化に応じて直ちにスポーツ走行の変速制御になるのではなく、少し走行してきびきび度が上昇してスポーツ走行指向と判定されてからスポーツ走行の変速制御となる。つまり、運転者の意思と判定結果が異なり、運転者の意思通りの走行ができない場合があった。
【００７４】
本実施形態では、上記のように、車両の旋回判定が不成立の道路の区間（Ｃ）では、ステップＳ１０２で否定的に判定されたとしても、現在まで（車両の旋回判定が不成立の道路（Ｃ）よりも前）の運転指向がスポーツ走行指向であり（ステップＳ１０５−Ｙ）、かつ、現在、車両が走行している道路状況が車両の旋回判定が不成立の道路であり（ステップＳ１０６−Ｙ）、かつ、その現在、車両が走行している道路状況が車両の旋回判定が不成立の道路である状況が予め設定された所定距離だけ継続していないときには（ステップＳ１０７−Ｎ）、スポーツ走行指向と判定される（ステップＳ１０３）。
【００７５】
符号Ｘｃの地点において、車両の旋回判定が不成立の道路（Ｃ）の長さが所定距離未満であるときは、符号Ｘｃの地点まではスポーツ走行指向と判定され続ける（ステップＳ１０６−Ｙ、ステップＳ１０７−Ｎ、ステップＳ１０３）。その後は、次のコーナＫａに対して減速Ｇ（Ｄ）が車両に作用した後に車両がコーナリングを行うことにより、運転操作や車両の状況は、運転指向推定部９４において、スポーツ走行指向と推定されるために必要な程度まで戻るため、ステップＳ１０２において肯定的に判定される。
【００７６】
上記のように、符号Ｘｂの地点及び車両の旋回判定が不成立の道路の区間（Ｃ）において、スポーツ走行指向と判定されるため、車両は、スポーツ走行指向用の変速制御が維持された状態で、次のコーナＫａに進入することが可能となる。符号Ｘｂの地点から継続して車両の旋回判定が不成立の道路の区間（Ｃ）においても、スポーツ走行指向と判定されることにより、例えば、自動変速機のアップシフトを抑制する制御が継続した状態のままとなる。これにより、コーナＫａへの進入に際してブレーキを踏めば、エンジンブレーキが効果的に作用し、また、コーナＫａからの脱出時の加速性能にも優れる。
【００７７】
このように、本実施形態では、運転者の指向がスポーツ走行指向であるときに運転者のスポーツ走行指向であるとの指向が運転操作又は車両の状況に反映され難い特定の状況として、“現在の道路状況が車両の旋回判定が不成立の道路であること”が予め設定されており、現在までの運転者の指向がスポーツ走行指向であり（ステップＳ１０５−Ｙ）、運転指向推定部９４により、現在の運転者の指向が通常走行指向であると判定されているときに（ステップＳ１０２−Ｎ）、現在の状況がその車両の旋回判定が不成立の道路であるときには（ステップＳ１０６−Ｙ）、現在の運転者指向は、スポーツ走行指向であると判定される（ステップＳ１０３）。但し、上記のケースにおいて、現在の運転者指向がスポーツ走行指向であると判定されるのは、現在の道路状況が車両の旋回判定が不成立の道路であることが所定の距離継続していない場合（ステップＳ１０７−Ｎ）に限定される。現在の状況が車両の旋回判定が不成立の道路であることが所定の距離継続した場合（ステップＳ１０７−Ｙ）には、運転者の指向が、その車両の旋回判定が不成立の道路において、通常走行指向に戻る場合等を想定して、一旦リセットして、通常走行指向であると判定する（ステップＳ１０８）。なお、上記所定の距離とは、例えば、複数のワインディング路におけるコーナとその次のコーナとを結ぶ車両の旋回判定が不成立の道路の距離を調査し、その調査結果に基づいて、設定することができる。
【００７８】
また、本実施形態では、運転車の運転指向を推定する運転指向推定部９４として、ニューラルネットワークＮＮが用いられたが、ニューラルネットワークに限定されない。例えば、運転状態の判定は、アクセルの踏み込み速度で判定されてもよいし、運転者の脈拍や発汗量などの身体の状態に基づいて、判定されることができる。
【００７９】
（第２実施形態）
次に、図９及び図１０を参照して、第２実施形態について説明する。第２実施形態において、上記実施形態と共通する部分についての説明は省略する。
【００８０】
図９に示すように、第２実施形態の運転者指向判定装置１１０ａは、第１実施形態の運転者指向判定装置１１０と異なり、更に、車間距離計測部２００を備えている。
【００８１】
車間距離計測部２００は、車両前部に搭載されたレーザーレーダーセンサ又はミリ波レーダーセンサなどのセンサを有し、先行車両との車間距離を計測する。車間距離計測部２００により計測された車間距離を示す車間距離信号ＳＧ３が運転指向判定手段９１に出力される。運転指向判定手段９１の判定部９５は、車間距離信号ＳＧ３に基づいて、車間距離信号ＳＧ３に示される車間距離が予め設定された所定値以上であるか否かを判定する。
【００８２】
なお、判定部９５は、車間距離信号ＳＧ３に基づいて、車間距離が所定値以上であるか否かを直接的に判定する代わりに、車間距離が所定値以上であることが判るパラメータ、例えば衝突時間（車間距離／相対車速）、車間時間（車間距離／自車速）、それらの組み合わせなどにより、間接的に車間距離が所定値以上であるか否かを判定してもよい。
【００８３】
次に、図１０を参照して、第２実施形態の制御フローについて説明する。図１０に示すように、第２実施形態の制御フローは、第１実施形態の制御フローに対し、ステップＳＡ１０６及びステップＳＡ１０７が変更されている点で相違しており、それらの点以外は、第１実施形態の制御フローと共通している。
【００８４】
[ステップＳＡ１０６]
ステップＳＡ１０６において、判定部９５は、車両が現在走行している道路の状況を示す信号ＳＧ１に基づいて、現在走行している道路が車両の旋回判定が不成立の道路であるか、又は、車間距離信号ＳＧ３に基づいて、先行車との車間距離が所定値以下であるか否かを判定する。その判定の結果、肯定的に判定された場合には、ステップＳＡ１０７に進み、そうでない場合には、ステップＳＡ１０８に進む。
【００８５】
［ステップＳＡ１０７］
ステップＳＡ１０７において、判定部９５は、現在走行している道路が車両の旋回判定が不成立の道路であるか、又は、先行車との車間距離が所定値以下である状態が予め設定された所定距離だけ継続しているか否かを判定する。その判定の結果、肯定的に判定された場合には、ステップＳＡ１０８に進み、そうでない場合には、ステップＳＡ１０３に進む。
【００８６】
第２実施形態では、運転者の指向がスポーツ走行指向であるときに運転者のスポーツ走行指向であるとの指向が運転操作又は車両の状況に反映され難い特定の状況として、“現在の道路状況が車両の旋回判定が不成立の道路であるか、又は、先行車との車間距離が予め設定された所定値以下であること”が予め設定されており、現在までの運転者の指向がスポーツ走行指向であり（ステップＳＡ１０５−Ｙ）、運転指向推定部９４により、現在の運転者の指向が通常走行指向であると判定されているときに（ステップＳＡ１０２−Ｎ）、現在の状況がその車両の旋回判定が不成立の道路であるか、又は、先行車との車間距離が所定値以下であるときには（ステップＳＡ１０６−Ｙ）、現在の運転者指向は、スポーツ走行指向であると判定される（ステップＳＡ１０３）。なお、この場合、スポーツ走行指向と判定されるのが、ステップＳＡ１０７が肯定的に判定される前までに限定されるのは、上記第１実施形態と同様である。
【００８７】
なお、第２実施形態では、現在走行している道路が車両の旋回判定が不成立の道路であるか、又は、先行車との車間距離が所定値以下であり（ステップＳＡ１０６−Ｙ）、その状態が予め設定された所定距離だけ継続していない場合（ステップＳＡ１０７−Ｎ）には、スポーツ走行指向となるように構成された（ステップＳＡ１０３）が、以下のような変形が可能である。
【００８８】
即ち、上記の車間距離に代えて、道路の信号機の信号の状況や、道路が一時停止領域、速度規制領域又は徐行領域か否かや、料金所、駐車場、踏み切り等の有無、事故や災害や交通渋滞による通行規制の有無等の、道路形状以外の状況（道路交通情報）に基づいて、運転指向判定手段９１の判定結果（ＳＧ２）が決定されることができる。
【００８９】
つまり、運転者の指向がスポーツ走行指向であるときに運転者のスポーツ走行指向であるとの指向が運転操作又は車両の状況に反映され難い特定の状況である場合には、スポーツ走行指向であると判定するものである。
【００９０】
（第３実施形態）
次に、図１１を参照して、第３実施形態について説明する。第３実施形態において、上記各実施形態と共通する部分についての説明は省略する。図１１に示すように、第３実施形態の制御フローは、第１実施形態の制御フローに対し、ステップＳＢ１０６及びステップＳＢ１０７が変更されている点で相違しており、それらの点以外は、第１実施形態の制御フローと共通している。
【００９１】
第３実施形態では、運転者の指向がスポーツ走行指向であるときに運転者のスポーツ走行指向であるとの指向が運転操作又は車両の状況に反映され難い特定の状況として、“運転操作又は車両の状況の変化が予め設定された所定値以下であること”が予め設定されており、現在までの運転者の指向がスポーツ走行指向であり（ステップＳＢ１０５−Ｙ）、運転指向推定部９４により、現在の運転者の指向が通常走行指向であると判定されているときに（ステップＳＢ１０２−Ｎ）、現在の状況がその運転操作又は車両の状況の変化が予め設定された所定値以下であるときには（ステップＳＢ１０６−Ｙ）、現在の運転者指向は、スポーツ走行指向であると判定される（ステップＳＢ１０３）。なお、この場合、スポーツ走行指向と判定されるのが、ステップＳＢ１０７が肯定的に判定される前までに限定されるのは、上記第１実施形態と同様である。
【００９２】
なお、上記第１〜第３実施形態では、運転指向判定手段９１による判定結果（ＳＧ２）がスポーツ走行指向であるか通常走行指向であるかによって、選択される変速線図が異なる場合、つまり、車速とスロットル開度によって選択される変速段が決定される際の基準となる変速線が異なるように設定される場合（ステップＳ１０４、ステップＳ１０９、ステップＳＡ１０４、ステップＳＡ１０９、ステップＳＢ１０４、ステップＳＢ１０９）について説明した。この場合、更に、上記判定結果（ＳＧ２）によって、例えば道路勾配やコーナＲや車間距離に応じて自動的にダウンシフトさせる変速点制御において、ダウンシフトさせる変速条件を異なるように設定することができる。
【００９３】
例えば、上記判定結果（ＳＧ２）がスポーツ走行指向である場合には、通常走行指向である場合に比べ、登降坂制御では勾配しきい値を相対的に低い値に設定して、より勾配が小さい段階でダウンシフトが実行されるようにしたり、コーナ制御では、変速制御後の目標変速段の決定に際して基準となる目標減速度を算出するために必要な目標旋回Ｇ（目標横Ｇ）を相対的に高い値に設定して、相対的に高速段にダウンシフトされるようにする。
【００９４】
変速点制御の場合には、上記判定結果（ＳＧ２）によって、変速線が異なる変速線図に切り換えられるのではなく、車速とスロットル開度以外の変速条件（例えば、勾配しきい値や、コーナＲしきい値や、交差点からの距離又は車間距離のしきい値など）が異なるものが使い分けられる。但し、変速線図を使い分ける変速点制御以外の場合も、変速線図以外の変速条件が異なるようにされる変速点制御の場合も、上記判定結果（ＳＧ２）によって、変速機の変速パターンが異なるようにされるという点では共通している。
【００９５】
本発明は実施例に限定されるものではなく、運転指向推定部はニューラルネットワークによる出力値だけではなく、例えば遺伝的アルゴリズムを適用した値や運転操作時の状態量（ハンドル角、横Ｇ、ヨーレート、アクセル開度など）に重み付けして算出した値などの運転者の指向が反映される値を利用することができる。
【図面の簡単な説明】
【００９６】
【図１】図１は、本発明の運転者指向判定装置の第１実施形態の制御フローを示すフローチャートである。
【図２】図２は、本発明の運転者指向判定装置の第１実施形態が適用される自動変速機及び変速制御装置を示す構成図である。
【図３】図３は、本発明の運転者指向判定装置の第１実施形態が適用される自動変速機の作動表を示す図である。
【図４】図４は、本発明の運転者指向判定装置の第１実施形態が適用される自動変速機及び変速制御装置に用いられる変速線図を示す図である。
【図５】図５は、本発明の運転者指向判定装置の第１実施形態が適用される自動変速機及び変速制御装置に用いられる他の変速線図を示す図である。
【図６】図６は、本発明の運転者指向判定装置の第１実施形態の運転者指向判定装置を示すブロック図である。
【図７】図７は、本発明の運転者指向判定装置の第１実施形態の運転者指向判定装置に含まれる運転指向推定部を示す図である。
【図８】図８は、本発明の運転者指向判定装置の第１実施形態において、作用効果を説明するための図である。
【図９】図９は、本発明の運転者指向判定装置の第２実施形態の運転者指向判定装置を示すブロック図である。
【図１０】図１０は、本発明の運転者指向判定装置の第２実施形態の制御フローを示すフローチャートである。
【図１１】図１１は、本発明の運転者指向判定装置の第３実施形態の制御フローを示すフローチャートである。
【符号の説明】
【００９７】
１４  自動変速機
４２  電子制御装置
９０  変速制御手段
９１  運転指向判定手段
９２  変速線図切換手段
９３  記憶部
９４  運転指向推定部
９５  判定部
９７  ナビゲーションシステム装置
１００  運転指向推定手段
１１０  運転者指向判定装置
２００  車間距離計測部
ＳＧ１  道路状況信号
ＳＧ２  指向判定信号
ＳＧ３  車間距離信号
【図１】
2007016826.tif 000003
【図２】
2007016826.tif 000004
【図３】
2007016826.tif 000005
【図４】
2007016826.tif 000006
【図５】
2007016826.tif 000007
【図６】
2007016826.tif 000008
【図７】
2007016826.tif 000009
【図８】
2007016826.tif 000010
【図９】
2007016826.tif 000011
【図１０】
2007016826.tif 000012
【図１１】
2007016826.tif 000013